(57)【要約】【課題】  撮影画像と被写体の情報とを紐づけ、撮影画像とともに情報公開することでイベント参加者同士の交流を促進することが可能な表示システム及び撮影画像表示方法を提供する。【解決手段】  撮影装置２は、イベント参加者を被写体として撮影するとともにイベント参加者のプロフィール情報を取得し、撮影画像とプロフィール情報を紐づける。表示装置３はイベント参加者の画像をプロフィール情報と紐づけて表示する。また、撮影装置２は同じ被写体の画像をグルーピングして被写体毎に画像を表示させたり、画像に対するタグ付けを受け付けたりする。これにより、撮影画像と被写体の情報とを紐づけて情報公開することができるため、イベント参加者は他のイベント参加者のプロフィール情報を容易に知ることができ、イベント参加者同士の交流を促進することが可能となる。【選択図】図１
2020115259.tif 000002
【特許請求の範囲】
【請求項１】
撮影装置と表示装置とが接続された表示システムであって、
前記撮影装置は、
イベント参加者を被写体として撮影する撮影手段と、
前記イベント参加者のプロフィール情報を取得するプロフィール情報取得手段と、を備え、
前記表示装置は、
前記撮影手段により撮影した前記イベント参加者の画像を前記プロフィール情報取得手段により取得したプロフィール情報と紐づけて表示する表示制御手段
を備えることを特徴とする表示システム。
【請求項２】
複数の撮影装置と１または複数の表示装置とサーバとがネットワークを介して通信接続された表示システムであって、
前記撮影装置は、
イベント参加者を被写体として撮影する撮影手段と、
前記イベント参加者のプロフィール情報を取得するプロフィール情報取得手段と、
前記撮影手段により撮影したイベント参加者の画像及び前記プロフィール情報取得手段により取得したイベント参加者のプロフィール情報を前記サーバに送信する送信手段と、を備え、
前記サーバは、
前記撮影装置から送信されたイベント参加者の画像及びプロフィール情報を受信する受信手段と、
前記イベント参加者の画像と前記プロフィール情報とを紐づけて記憶する記憶手段と、
前記イベント参加者の画像及びプロフィール情報を前記表示装置に送信する送信手段と、を備え、
前記表示装置は、
前記サーバから送信された前記イベント参加者の画像及びプロフィール情報を受信する受信手段と、
受信したイベント参加者の画像を前記プロフィール情報と紐づけて表示する表示制御手段と、
を備えることを特徴とする表示システム。
【請求項３】
前記プロフィール情報は、前記イベント参加者のプロフィールが含まれる画像であるプロフィール画像であることを特徴とする請求項１または請求項２に記載の表示システム。
【請求項４】
前記撮影手段により撮影した画像を被写体毎にグループ分けするグルーピング手段を更に備え、
前記表示装置の表示制御手段は、前記撮影手段により撮影した画像を前記グルーピング手段によるグループ分けに従って被写体毎に表示する
ことを特徴とする請求項１から請求項３のいずれかに記載の表示システム。
【請求項５】
前記グルーピング手段は、前記撮影手段により撮影した複数の画像に前記イベント参加者のプロフィールが含まれる画像であるプロフィール画像が含まれる場合は、該プロフィール画像を代表画像として選出することを特徴とする請求項４に記載の表示システム。
【請求項６】
前記撮影装置は、
前記イベント参加者のプロフィール情報をテキスト入力する入力手段を更に備え、
前記プロフィール情報取得手段は、前記入力手段により入力されたプロフィール情報を取得する請求項１から請求項５のいずれかに記載の表示システム。
【請求項７】
前記撮影装置は、
前記撮影手段により撮影された画像が前記イベント参加者のプロフィールが含まれる画像であるプロフィール画像であるか否かを判定する判定手段と、
前記判定手段によりプロフィール画像でないと判定した場合にプロフィール情報をテキスト入力するよう促すメッセージを表示するメッセージ表示手段と、
を更に備えることを特徴とする請求項６に記載の表示システム。
【請求項８】
前記撮影装置は、
前記撮影手段により撮影された画像へのタグ付けを受け付けるタグ付加手段を更に備えることを特徴とする請求項１から請求項７のいずれかに記載の表示システム。
【請求項９】
前記表示装置により表示された内容を印刷する印刷手段を更に備えることを特徴とする請求項１から請求項８に記載の表示システム。
【請求項１０】
前記表示装置は、
イベント会場図を取得する会場図取得手段と、
前記イベント参加者による前記イベント会場図内の位置の入力を受け付ける位置入力手段と、
前記イベント会場図を表示するとともに、前記イベント会場図内の前記位置入力手段により指定された位置に前記イベント参加者のマークを表示させる会場図表示制御手段と
を備えることを特徴とする請求項１から請求項９に記載の表示システム。
【請求項１１】
前記表示装置は、
前記マークを指示する指示入力手段と、
前記指示入力手段によりマークが指示されると、該マークに対応する前記イベント参加者の画像を取得し、表示する画像表示手段と、
を備えることを特徴とする請求項１０に記載の表示システム。
【請求項１２】
撮影装置と表示装置とが接続された表示システムにおける画像表示方法であって、
前記撮影装置がイベント参加者を被写体として撮影するステップと、
前記撮影装置が前記イベント参加者のプロフィール情報を取得するステップと、
前記表示装置が前記イベント参加者の画像を前記プロフィール情報と紐づけて表示するステップと、
を含むことを特徴とする撮影画像表示方法。
【請求項１３】
複数の撮影装置と１または複数の表示装置とサーバとがネットワークを介して通信接続された表示システムにおける撮影画像表示方法であって、
前記撮影装置が、イベント参加者を被写体として撮影するステップと、
前記撮影装置が、前記イベント参加者のプロフィール情報を取得するステップと、
前記撮影装置が、前記イベント参加者の画像及びプロフィール情報を前記サーバに送信するステップと、
前記サーバが、前記撮影装置から送信されたイベント参加者の画像及びプロフィール情報を受信するステップと、
前記サーバが、前記イベント参加者の画像と前記プロフィール情報とを紐づけて記憶するステップと、
前記サーバが、前記イベント参加者の画像及びプロフィール情報を前記表示装置に送信するステップと、
前記表示装置が、前記サーバから送信されたイベント参加者の画像を前記プロフィール情報と紐づけて表示するステップと、
を含むことを特徴とする撮影画像表示方法。
【発明の詳細な説明】
【技術分野】
【０００１】
本発明は、表示システム及び撮影画像表示方法に関し、詳細には、イベント等における撮影画像の表示技術に関する。
【背景技術】
【０００２】
近年、ＳＮＳ（Social Networking Service）が普及し、活発に利用されている。例えば、パーティやイベント等で撮影した写真をＳＮＳに投稿したり、被写体となった人のＳＮＳアカウントに送ったりすることで、イベント主催者と来場者、或いは来場者間の交流を深めることができる。また、例えば非特許文献１に示すような撮影装置が提案されている。非特許文献１は、撮影機能の他、アンケート機能やＳＮＳへの投稿機能、写真プリント機能等を有している。イベント主催者はこの種の撮影装置をイベント会場に設置して来場者を撮影し、撮影した写真をＳＮＳに投稿したり、プリントアウトしてイベントの記念品として渡したりすることでイベントを盛り上げ、来場者の心に残る楽しい空間を演出することができる。
【０００３】
しかしながら、パーティやイベント等のように複数の人物を写真撮影するシーンにおいて、写真に写った被写体と被写体の情報（氏名やＳＮＳアカウント等の情報）とを結び付けることは難しい課題となっている。例えば、非特許文献１で示すような撮影装置で撮影した写真には被写体の情報が記載されている訳ではないため、イベント主催者が後日被写体となった人物に連絡を取ろうとしても、連絡先が分からないということがあった。この種の課題に対して、例えばコスプレイベント等では、被写体であるコスプレイヤーをＳＮＳアカウントやＥメールアドレス等の連絡先を記載したスケッチブック等とともに撮影することで、写真と被写体の情報（ＳＮＳアカウント）とを紐づけることが行われている。
【先行技術文献】
【非特許文献】
【０００４】
【非特許文献１】株式会社ＤＮＰフォトイメージングジャパン、”sharingboxPRIME”、［online］、［平成30年12月12日検索］、インターネット〈URL：https://www.dnpphoto.jp/corp-customer/sharingbox-prime/〉
【発明の概要】
【発明が解決しようとする課題】
【０００５】
しかしながら、上述のような方法で写真と被写体の情報とを紐づける場合、連絡先を書いたスケッチブックを撮り忘れたり、参加者がスケッチブックを持ってきていなかったりすると、後日その人と連絡を取ることは困難であった。また、大勢の人が集まるイベント会場で連絡先の分からない特定の人（例えば、あるキャラクターに扮している人）を探して写真撮影を行うようなシチュエーションでは、どのようにしてその人を見つけるかという課題がある。
【０００６】
本発明は、このような問題に鑑みてなされたものであり、撮影画像と被写体の情報とを紐づけて情報公開することで、イベント参加者同士の交流を促進することが可能な表示システム、及び撮影画像表示方法を提供することを目的とする。
【課題を解決するための手段】
【０００７】
前述した課題を解決するための第１の発明は、撮影装置と表示装置とが接続された表示システムであって、前記撮影装置は、イベント参加者を被写体として撮影する撮影手段と、前記イベント参加者のプロフィール情報を取得するプロフィール情報取得手段と、を備え、前記表示装置は、前記撮影手段により撮影した前記イベント参加者の画像を前記プロフィール情報取得手段により取得したプロフィール情報と紐づけて表示する表示制御手段を備えることを特徴とする表示システムである。
【０００８】
第１の発明によれば、撮影装置は、イベント参加者を被写体として撮影するとともに、イベント参加者のプロフィール情報を取得する。表示装置はイベント参加者の画像をプロフィール情報と紐づけて表示する。これにより、撮影画像と被写体の情報とを紐づけて情報公開することができるため、イベント参加者は他のイベント参加者のプロフィール情報を容易に知ることができ、イベント参加者同士の交流を促進することが可能となる。
【０００９】
第２の発明は、複数の撮影装置と１または複数の表示装置とサーバとがネットワークを介して通信接続された表示システムであって、前記撮影装置は、イベント参加者を被写体として撮影する撮影手段と、前記イベント参加者のプロフィール情報を取得するプロフィール情報取得手段と、前記撮影手段により撮影したイベント参加者の画像及び前記プロフィール情報取得手段により取得したイベント参加者のプロフィール情報を前記サーバに送信する送信手段と、を備え、前記サーバは、前記撮影装置から送信されたイベント参加者の画像及びプロフィール情報を受信する受信手段と、前記イベント参加者の画像と前記プロフィール情報とを紐づけて記憶する記憶手段と、前記イベント参加者の画像及びプロフィール情報を前記表示装置に送信する送信手段と、を備え、前記表示装置は、前記サーバから送信された前記イベント参加者の画像及びプロフィール情報を受信する受信手段と、受信したイベント参加者の画像を前記プロフィール情報と紐づけて表示する表示制御手段と、を備えることを特徴とする表示システムである。
【００１０】
第２の発明によれば、撮影装置は、イベント参加者を被写体として撮影するとともに、イベント参加者のプロフィール情報を取得し、イベント参加者の画像及びプロフィール情報をサーバに送信する。サーバは、撮影装置から送信されたイベント参加者の画像及びプロフィール情報を受信し、受信したイベント参加者の画像とプロフィール情報とを紐づけて記憶するとともに表示装置に送信する。表示装置はイベント参加者の画像及びプロフィール情報をサーバから受信し、受信したイベント参加者の画像をプロフィール情報と紐づけて表示する。これにより、撮影画像と被写体の情報とを紐づけて情報公開することができるため、イベント参加者は他のイベント参加者のプロフィール情報を容易に知ることができ、イベント参加者同士の交流を促進することが可能となる。
【００１１】
また、第１及び第２の発明において、前記プロフィール情報は、前記イベント参加者のプロフィールが含まれる画像であるプロフィール画像であることが望ましい。これにより、撮影装置は、プロフィールを記載したスケッチブック等をイベント参加者が持った画像（プロフィール画像）をイベント参加者のプロフィール情報として取得することができ、イベント参加者とプロフィール情報を紐づけることができる。
【００１２】
また、前記撮影手段により撮影した画像を被写体毎にグループ分けするグルーピング手段を更に備え、前記表示装置の表示制御手段は、前記撮影手段により撮影した画像を前記グルーピング手段によるグループ分けに従って被写体毎に表示することが望ましい。これにより、撮影画像をイベント参加者毎に表示させることが可能となり、多くの画像を見やすく表示できるようになる。
【００１３】
また、前記グルーピング手段は、前記撮影手段により撮影した複数の画像に前記イベント参加者のプロフィールが含まれる画像であるプロフィール画像が含まれる場合は、該プロフィール画像を代表画像として選出することが望ましい。これにより、イベント参加者毎にグルーピングされた各画像群において、イベント参加者のプロフィール画像を代表画像として選出し表示することが可能となる。
【００１４】
また、前記撮影装置は、前記イベント参加者のプロフィール情報をテキスト入力する入力手段を更に備え、前記プロフィール情報取得手段は、前記入力手段により入力されたプロフィール情報を取得することが望ましい。これにより、イベント参加者のプロフィール情報をテキスト入力することが可能となるため、イベント参加者がプロフィールを示すもの（例えばスケッチブック等）を持っていない場合等は、プロフィール情報を撮影装置にテキスト入力して画像と紐づけることが可能となる。
【００１５】
また、前記撮影装置は、前記撮影手段により撮影された画像が前記イベント参加者のプロフィールが含まれる画像であるプロフィール画像であるか否かを判定する判定手段と、前記判定手段によりプロフィール画像でないと判定した場合にプロフィール情報をテキスト入力するよう促すメッセージを表示するメッセージ表示手段と、を更に備えることが望ましい。これにより、撮影画像がプロフィール画像でない場合にプロフィール情報をテキスト入力するよう促すメッセージを表示するため、プロフィール情報の取得漏れをなくすことができる。
【００１６】
また、前記撮影装置は、前記撮影手段により撮影された画像へのタグ付けを受け付けるタグ付加手段を更に備えることが望ましい。これにより画像にタグ付けすることが可能となるため、イベント参加者を探す際にタグによる検索が可能となり便利である。
【００１７】
前記表示装置に表示された内容を印刷する印刷手段を更に備えることが望ましい。これにより、表示装置の表示内容を印刷することができるため、イベント参加者は被写体の画像や画像に紐づけられたプロフィール情報を印刷して入手することが可能となり、イベント参加者同士の交流に役立てることができる。
【００１８】
また、前記表示装置は、イベント会場図を取得する会場図取得手段と、前記イベント参加者による前記イベント会場図内の位置の入力を受け付ける位置入力手段と、前記イベント会場図を表示するとともに、前記イベント会場図内の前記位置入力手段により指定された位置に前記イベント参加者のマークを表示させる会場図表示制御手段とを備えることが望ましい。これにより、イベント参加者の位置をイベント会場図内に示すことが可能となり、イベント参加者を探す際に役立てることができる。
【００１９】
また、前記表示装置は、前記マークを指示する指示入力手段と、前記指示入力手段によりマークが指示されると、該マークに対応する前記イベント参加者の画像を取得し、表示する画像表示手段と、
を備えることが望ましい。これにより、イベント会場図上に表示されたマークを指示するとイベント参加者の画像が表示されるため、どの人がどこにいるかを探しやすくなる。
【００２０】
第３の発明は、撮影装置と表示装置とが接続された表示システムにおける画像表示方法であって、前記撮影装置がイベント参加者を被写体として撮影するステップと、前記撮影装置が前記イベント参加者のプロフィール情報を取得するステップと、前記表示装置が前記イベント参加者の画像を前記プロフィール情報と紐づけて表示するステップと、を含むことを特徴とする撮影画像表示方法である。
【００２１】
第３の発明によれば、撮影装置は、イベント参加者を被写体として撮影するとともに、イベント参加者のプロフィール情報を取得する。表示装置はイベント参加者の画像をプロフィール情報と紐づけて表示する。これにより、撮影画像と被写体の情報とを紐づけて情報公開することができるため、イベント参加者は他のイベント参加者のプロフィール情報を容易に知ることができ、イベント参加者同士の交流を促進することが可能となる。
【００２２】
第４の発明は、複数の撮影装置と１または複数の表示装置とサーバとがネットワークを介して通信接続された表示システムにおける撮影画像表示方法であって、前記撮影装置が、イベント参加者を被写体として撮影するステップと、前記撮影装置が、前記イベント参加者のプロフィール情報を取得するステップと、前記撮影装置が、前記イベント参加者の画像及びプロフィール情報を前記サーバに送信するステップと、前記サーバが、前記撮影装置から送信されたイベント参加者の画像及びプロフィール情報を受信するステップと、前記サーバが、前記イベント参加者の画像と前記プロフィール情報とを紐づけて記憶するステップと、前記サーバが、前記イベント参加者の画像及びプロフィール情報を前記表示装置に送信するステップと、前記表示装置が、前記サーバから送信されたイベント参加者の画像を前記プロフィール情報と紐づけて表示するステップと、を含むことを特徴とする撮影画像表示方法である。
【００２３】
第４の発明によれば、撮影装置は、イベント参加者を被写体として撮影するとともに、イベント参加者のプロフィール情報を取得し、イベント参加者の画像及びプロフィール情報をサーバに送信する。サーバは、撮影装置から送信されたイベント参加者の画像及びプロフィール情報を受信し、受信したイベント参加者の画像とプロフィール情報とを紐づけて記憶するとともに表示装置に送信する。表示装置はイベント参加者の画像及びプロフィール情報をサーバから受信し、受信したイベント参加者の画像をプロフィール情報と紐づけて表示する。これにより、撮影画像と被写体の情報とを紐づけて情報公開することができるため、イベント参加者は他のイベント参加者のプロフィール情報を容易に知ることができ、イベント参加者同士の交流を促進することが可能となる。
【発明の効果】
【００２４】
本発明により、撮影画像と被写体の情報とを紐づけ、撮影画像とともに情報公開することでイベント参加者同士の交流を促進することが可能な表示システム及び撮影画像表示方法を提供することが可能となる。
【図面の簡単な説明】
【００２５】
【図１】表示システム１の全体構成を示す図
【図２】撮影装置２の構成を示す図
【図３】制御装置２０のハードウェア構成を示す図
【図４】表示装置３のハードウェア構成を示す図
【図５】表示システム１における撮影装置２及び表示装置３の機能構成を示すブロック図
【図６】表示システム１が実行する処理の流れを示すフローチャート
【図７】撮影装置２における判定処理の流れを示すフローチャート
【図８】撮影画像データ２２１のデータ構成の例を示す図
【図９】表示装置３における表示例を示す図
【図１０】表示装置３における別の表示例を示す図
【図１１】表示装置３における地図表示機能について説明する図
【図１２】地図表示機能における撮影装置２及び表示装置３の機能構成を示すブロック図
【図１３】本発明に係る表示システム１Ａの全体構成を示す図
【図１４】サーバ５のハードウェア構成を示す図
【図１５】ユーザ端末４のハードウェア構成を示す図
【図１６】第２の実施の形態の表示システム１Ａにおける撮影装置２及び表示装置３の機能構成を示すブロック図
【図１７】表示システム１Ａが実行する処理の流れを示すフローチャート
【図１８】サーバ５における判定処理の流れを示すフローチャート
【図１９】スマートフォン等のユーザ端末４を表示装置とする場合における表示例を示す図
【図２０】本発明の表示システム１Ａを撮影イベントで利用する場合のイベント参加者（被写体）及びカメラマンの行動の流れの一例を説明する図
【図２１】フォトブック作成機能により作成されたフォトブック９の一例を示す図
【発明を実施するための形態】
【００２６】
以下、図面に基づいて本発明の好適な実施形態について詳細に説明する。本実施の形態では、コスプレイヤー（イベント参加者；被写体７）をカメラマン（イベント参加者；撮影者）が撮影するイベントにおいて本発明の表示システム１を利用する例について説明する。なお、本発明はこのようなシチュエーションに限定されず、例えば、商談パーティ、新商品や映画等の発表イベント、ファッションイベント、スポーツイベント、観光誘致イベント、新店オープンイベント等、人が集まる各種のイベントに適用可能である。
【００２７】
＜第１の実施の形態＞
図１は本発明の第１の実施の形態に係る表示システム１の構成を示す図である。図１に示すように、本実施形態の表示システム１は、撮影装置２及び表示装置３が通信接続された構成を有する。撮影装置２と表示装置３との通信接続は有線でも無線でもよい。
【００２８】
撮影装置２は、イベント会場に設置される写真撮影装置であり、撮影機能、テキスト入力機能、写真プリント機能、及び通信機能を有する。図１の例では、スタンド型の撮影装置２を示しているが撮影装置２の形状はスタンド型に限らず、どのようなものでもよい。
【００２９】
撮影装置２の撮影機能とは、イベントの参加者（コスプレイヤー及びカメラマン）を被写体７として写真や動画の撮影を行う機能である。なお、図１に示す被写体７は、自身のプロフィール情報（ＳＮＳアカウント等）を記載したスケッチブック８とともに撮影装置２による撮影を行っている様子を示している。テキスト入力機能とは、本実施の形態では被写体７であるイベント参加者が自身のプロフィール情報等をテキストで入力する機能である。写真プリント機能とは、撮影機能により撮影された画像から写真を生成してプリントする機能である。通信機能は、テキスト入力機能により入力された情報や撮影機能により撮影された画像等を通信接続先の機器に送信する機能である。各機能の詳細については後述する。
【００３０】
図２は撮影装置２の構成を示す図である。
撮影装置２は、制御装置２０、表示部２１、入力部２２、撮影部２３、照明２４、プリンタ２５等をバス２９により接続した構成を有する。
【００３１】
制御装置２０は撮影装置２の内部に設けられ、撮影装置２の処理全体を制御する。図３は制御装置２０のハードウェア構成を示す図である。図３に示すように、制御装置２０は、例えば制御部２０１、記憶部２０２、通信部２０３等をバス２０９等により接続して構成したコンピュータにより実現できる。但しこれに限ることなく、適宜様々な構成をとることができる。
【００３２】
制御部２０１はＣＰＵ（Central Processing Unit）、ＲＯＭ（Read Only
Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００３３】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００３４】
通信部２０３はネットワーク等を介した通信を媒介する通信インタフェースまたは周辺機器との接続を媒介するインタフェースである。通信部２０３は接続された表示装置３との間で通信を行う。
【００３５】
図２の説明に戻る。表示部２１は、撮影装置２の入力部２２を兼ねたタッチパネル付ディスプレイ等により実現される。表示部２１は、制御装置２０からの指示に従ってユーザの操作・選択に係る各種の画面を表示する。入力部２２は画面上のタッチ操作によるユーザの指示入力等を受付け、入力された内容を制御装置２０に入力する。
【００３６】
撮影部２３は、例えばＣＣＤ（Charge Coupled Device）イメージセンサやＣＭＯＳ（Complementary
Metal Oxide Semiconductor）イメージセンサなどの撮像素子を用いたカメラである。撮影部２３には、例えば高解像度のデジタルカメラを用いることが望ましいが、これに限ることはない。
【００３７】
照明２４は、撮影時のフラッシュ用のストロボ光源である。
【００３８】
プリンタ２５は、画像をプリントするものであり、撮影装置２の内部に設けられる。画像をプリントしたプリント物は撮影装置２のプリント物取出口（不図示）から排出される。プリンタ２５の方式や設置台数等は特に問わない。
【００３９】
図１の説明に戻る。
表示装置３は、デジタルサイネージやユーザのスマートフォンまたはタブレット等のユーザ端末のディスプレイであり、撮影装置２により撮影された被写体７の画像等を表示する。表示装置３は、撮影装置２による撮影画像を被写体７のプロフィール情報と紐づけて表示したり、被写体７毎にグルーピングして表示したりする。表示装置３における表示処理の詳細については後述する。
【００４０】
図４は、表示装置３の構成を示す図である。
表示装置３は、制御部３１、記憶部３２、通信部３３、表示部３４、操作部３５、周辺機器Ｉ／Ｆ３６等をバス３９により接続した構成を有する。表示装置３には、周辺機器Ｉ／Ｆ３６を介してプリンタ３７が接続されていてもよい。
【００４１】
制御部３１、記憶部３２、通信部３３の機能は上述した制御部２０１、記憶部２０２、通信部２０３、と略同様である。
【００４２】
表示部３４は、液晶パネル等のディスプレイ装置を有し、制御部３１からの指示に従って撮影画像やプロフィール情報等を表示する。また、表示部３４は、表示装置３の操作部３５を兼ねたタッチパネル付ディスプレイ等により実現されるものとしてもよい。表示部３４は、制御部３１からの指示に従ってユーザの操作・選択に係る各種の画面を表示する。
【００４３】
操作部３５は、表示部３４と一体的に構成されたタッチパネル及び各種のボタン等により構成され、タッチパネルへのタッチ操作及びボタンの押下操作によるユーザの指示入力等を受付け、入力された内容を制御部３１に入力する。
【００４４】
周辺機器Ｉ／Ｆ（インタフェース）３６は、周辺機器を接続するためのポートであり、制御部３１は周辺機器Ｉ／Ｆ３６を介して周辺機器とのデータの送受信を行う。
【００４５】
プリンタ３７は、表示装置３の表示内容をプリントするものであり、周辺機器Ｉ／Ｆ３６を介して表示装置３に接続される。プリンタ３７の方式や設置台数等は特に問わない。
【００４６】
図１において撮影装置２の被写体７は、自身のプロフィール情報（ＳＮＳアカウントやアカウント名等）を記載したスケッチブック（以下、このようなスケッチブック等をプロフィール情報８と呼ぶ）とともに撮影装置２により撮影されている。このように、プロフィール情報８と被写体７とを同時に撮影した画像を、本明細書ではプロフィール画像と呼ぶ。
【００４７】
次に、図５を参照して表示システム１の撮影装置２及び表示装置３の機能構成について説明する。
撮影装置２は、撮影部２３、グルーピング部１１、プロフィール情報取得部１２、判定部１３、メッセージ表示部１４、タグ付加部１５、表示部２１、入力部２２、及び記憶部２０２を有する。上述のグルーピング部１１、プロフィール情報取得部１２、判定部１３、メッセージ表示部１４、及びタグ付加部１５は撮影装置２の制御装置２０の制御部２０１が実現する機能部である。
【００４８】
表示装置３は、表示制御部１６、表示部３４、及び印刷部３７を有する。表示制御部１６は、表示装置３の制御部３１が実現する機能部である。
【００４９】
撮影部２３は、イベント参加者を被写体として撮影し、撮影画像を制御部２０１に入力する。
プロフィール情報取得部１２は、イベント参加者のプロフィール情報を取得する。プロフィール情報は、イベント参加者をプロフィール情報（スケッチブック等）とともに撮影した画像（プロフィール画像）でもよいし、入力部２２から入力されたテキスト情報でもよい。
【００５０】
表示制御部１６は、撮影部２３により撮影したイベント参加者の画像をプロフィール情報取得部１２により取得したプロフィール情報と紐づけて表示部３４に表示する。
【００５１】
グルーピング部１１は、撮影部２３により撮影した画像を被写体毎にグループ分けする。表示制御部１６はグルーピング部１１によるグループ分けに従って撮影部２３により撮影した画像を被写体毎に表示する。また、グルーピング部１１は、撮影部２３により撮影した複数の画像にイベント参加者のプロフィール画像が含まれる場合は、該プロフィール画像を代表画像として選出する。
【００５２】
判定部１３は、撮影部２３により撮影された画像がプロフィール画像であるか否かを判定する。
メッセージ表示部１４は、判定部１３により、撮影部２３により撮影された画像がプロフィール画像でないと判定された場合に、プロフィール情報をテキスト入力するよう促すメッセージを表示部２１に表示させる。
【００５３】
タグ付加部１５は、撮影部２３により撮影された画像へのタグ付けを受け付ける。
【００５４】
印刷部３７は、表示装置３により表示された内容を印刷するプリンタである。
【００５５】
次に、表示システム１において撮影装置２及び表示装置３が実行する処理について、図６〜図１０を参照して説明する。図６は、撮影装置２が実行する処理の流れを示すフローチャートであり、図７は撮影装置２における判定処理の流れを示すフローチャートであり、図８は撮影画像データ２２１のデータ構成の例を示す図である。図９は表示装置３における表示例を示す図、図１０は表示装置３における別の表示例を示す図である。
【００５６】
図６に示すように、撮影装置２では、まずイベント参加者を被写体として撮影し、必要に応じて編集を行う（ステップＳ１０１）。この撮影・編集処理において、撮影装置２は、表示部２１に対話的な操作を行うための操作画面を表示しながら撮影処理を進める。撮影処理では、撮影デザイン（縦デザイン、横デザイン、フレーム合成等）の選択を受け付けてもよい。撮影装置２の制御装置２０は、撮影部２３による撮像を開始し、撮影開始画面を表示する。撮影開始画面には、撮像中の被写体７（ユーザ）の画像がリアルタイムに表示される。撮影される画像は、動画像でも静止画でもよい。その後、撮影装置２は、シャッタータイミングまでのカウントダウン表示を行って、写真の撮影を行う。撮影を複数回繰り返す場合は、カウントダウン表示及び画像の撮影を繰り返し行う。
【００５７】
その後、制御装置２０は、表示部２１に撮影画像を表示する。このとき、画像に適用するフィルタの選択、画像編集や加工を受け付けてもよい。撮影・編集処理が終了すると、制御装置２０は撮影画像にプロフィール情報８が含まれているか否かを判定する判定処理を実行する（ステップＳ１０２）。
【００５８】
ステップＳ１０２の判定処理について図７を参照して説明する。
制御部２０１（判定部１３）は、まずステップＳ１０１で撮影した画像は被写体７についての１枚目の画像であるか否かを判定する。記憶部２０２に記憶されている画像の中にステップＳ１０１で撮影された画像の被写体７と同じ顔（同じ被写体）の画像がない場合は、１枚目の画像であると判定する（ステップＳ２０１）。１枚目の画像である場合（ステップＳ２０１；Ｙｅｓ）、制御部２０１（判定部１３）は、ステップＳ１０１で撮影した画像にスケッチブック（プロフィール情報８）が含まれているか否かを判定する。ステップＳ１０１で撮影した画像にスケッチブック（プロフィール情報８）が含まれている場合（ステップＳ２０２；Ｙｅｓ）は、制御部２０１（プロフィール情報取得部１２）は、撮影画像（ステップＳ１０１で撮影した画像）をプロフィール情報８（プロフィール画像）として取得し（ステップＳ２０３）、判定処理を終了して図６のステップＳ１０３へ移行する。
【００５９】
ステップＳ２０１の判定において、記憶部２０２に記憶されている画像の中にステップＳ１０１における撮影画像の被写体７と同じ顔（同じ被写体）の画像があり、１枚目の画像でないと判定した場合（ステップＳ２０１；Ｎｏ）、制御部２０１（判定部１３）は、この被写体７について過去に撮影した画像の中にプロフィール画像があるか否かを判定する（ステップＳ２０４）。制御部２０１（判定部１３）は、記憶部２０２に記憶されている画像（ステップＳ１０１における撮影画像の被写体７と同じ被写体７の画像）の中に被写体７のプロフィール画像があるかを判定する。過去に撮影した画像の中にプロフィール画像がある場合（ステップＳ２０４；Ｙｅｓ）は、判定処理を終了する。
【００６０】
ステップＳ２０２の判定において、ステップＳ１０１で撮影した画像にスケッチブック（プロフィール情報８）が含まれていないと判定した場合（ステップＳ２０２；Ｎｏ）、及びステップＳ２０４の判定において、過去に撮影した画像の中にプロフィール画像がないと判定した場合（ステップＳ２０４；Ｎｏ）は、ステップＳ２０５へ移行する。
【００６１】
ステップＳ２０５において、制御部２０１は、被写体７であるイベント参加者に対し、スケッチブックを持っているかを尋ねるメッセージを表示部２１に表示させる（ステップＳ２０５）。被写体７であるイベント参加者がスケッチブックを持っていないと回答した場合は（ステップＳ２０５；持っていない）、制御部２０１（メッセージ表示部１４）は、プロフィールをテキスト入力するようメッセージを表示部２１に表示する（ステップＳ２０６）。制御部２０１（プロフィール情報取得部１２）は、表示部２１にプロフィールを入力するための入力フォームを表示し、プロフィールの入力を受け付ける（ステップＳ２０７）。プロフィールが入力されると、制御部２０１（プロフィール情報取得部１２）は、入力されたプロフィールをプロフィール情報として取得し、撮影画像と紐づけ、図７の判定処理を終了する。プロフィールを撮影画像と紐づけるとは、テキスト入力されたプロフィール情報を撮影画像内に合成した合成画像を生成したり、撮影画像の近傍に表示した合成画像を生成したりすることである。
【００６２】
ステップＳ２０５において、被写体７がスケッチブックを持っていると回答した場合は（ステップＳ２０５；持っている）、制御部２０１（メッセージ表示部１４）は、プロフィールを記載したスケッチブック（プロフィール情報８）とともに撮影するようメッセージを表示部２１に表示する（ステップＳ２０８）。このとき、プロフィール画像の撮影を後で行う旨の回答が被写体７により入力された場合は（ステップＳ２０９；Ｙｅｓ）、プロフィール画像の撮影は行わず、図７の判定処理を終了する。
【００６３】
ステップＳ２０８のメッセージ表示後、プロフィール画像の撮影を後で行う旨の入力が無い場合は（ステップＳ２０９；Ｎｏ）、図６のステップＳ１０１へ移行し、被写体７のプロフィール画像の撮影を行う。
【００６４】
図６の説明に戻る。ステップＳ１０１の撮影・編集処理及びステップＳ１０２の判定処理を終了すると、次に制御部２０１（グルーピング部１１）は、ステップＳ１０１で撮影した画像を被写体７毎にグループ分けする（ステップＳ１０３）。ステップＳ１０３において、制御部２０１（グルーピング部１１）は記憶部２０２に記憶されている画像の中から被写体７と同一人物の顔の画像を検索し、ステップＳ１０１で撮影した画像に検索した画像と同じグループＩＤを付与する。同一人物の顔の画像が無い場合は、新規グループＩＤを発行してステップＳ１０１で撮影した画像に付与する。
【００６５】
撮影装置２の制御部２０１（グルーピング部１１）は、グルーピングされた画像群の中にプロフィール画像がある場合は、プロフィール画像を代表画像として選出する（ステップＳ１０４）。
【００６６】
撮影装置２の制御部２０１（タグ付加部１５）は、ユーザによる画像へのタグ付け操作を受け付ける（ステップＳ１０５）。タグとは、ＳＮＳで利用できるハッシュタグであり、例えばジャンルや作品名、キャラクター名、性別等のキーワードに「＃」をつけて表記される。ステップＳ１０５において、撮影装置２の制御部２０１は、表示部２１にタグの付与を促すようなメッセージを表示するようにしてもよい。このとき、予め登録されたタグを複数表示し、ユーザにより選択可能とすることが望ましい。
【００６７】
撮影装置２の制御部２０１は、撮影画像を記憶部２０２に記憶する（ステップＳ１０６）。具体的には、制御部２０１は、ステップＳ１０１で撮影した画像に、ステップＳ１０３のグループＩＤやステップＳ１０５で入力されたタグを紐づけて記憶部２０２の撮影画像データ２２１として登録する。また、ステップＳ１０２の判定処理のステップＳ２０７（図７）においてテキスト入力されたプロフィール情報がある場合は、入力されたプロフィール情報もステップＳ１０１で撮影した画像と紐づけて撮影画像データ２２１として登録する。
【００６８】
図８は、撮影装置２の記憶部２０２に記憶される撮影画像データ２２１のデータ構成例を示す図である。図８に示すように、撮影画像２２１ｂと紐づけて、プロフィール情報２２１ｃ、グループＩＤ２２１ｄ、タグ情報２２１ｅ等が記憶される。また、撮影画像２２１ｂには各画像を識別する情報である撮影ＩＤ２２１ａが撮影の際に発行されて付与されている。図８の例では、撮影ＩＤ２２１ａが「0001」の撮影画像２２１ｂ「a0001.jpg」は、プロフィール情報２２１ｃとして「代表画像」との情報が格納される。これは、撮影画像２２１ｂ「a0001.jpg」がプロフィール画像であることを示す。また、撮影画像２２１ｂ「a0001.jpg」には、グループＩＤ２２１ｄ「aaabb」が付与され、タグ２２１ｅ「＃〇〇（アニメ名）、＃△△（キャラクター名）、＃男性向け」というタグ情報が付与されている。また、撮影ＩＤ２２１ａが「0002」の撮影画像２２１ｂ「a0002.jpg」と撮影ＩＤ２２１ａが「0003」の撮影画像２２１ｂ「a0003.jpg」は、撮影ＩＤ２２１ａが「0001」の撮影画像２２１ｂ「a0001.jpg」と同じグループＩＤ２２１ｄ「aaabb」が紐づけて記憶されている。すなわち、撮影ＩＤ２２１ａ「0001」、「0002」、「0003」の画像は被写体７が同一の画像としてグルーピングされている。
【００６９】
図６の説明に戻る。
撮影装置２の制御部２０１は、撮影画像データ２２１に基づいて画像の表示データを生成し、表示装置３に表示させる。すなわち、制御部２０１は、同じグループＩＤの画像が同じ表示エリアに表示されるように画像をレイアウトした表示データを生成する。表示装置３の表示制御部１６は、撮影装置２から送信された表示データを受信して表示する。表示装置３には、イベント参加者の画像がプロフィール情報（プロフィール画像）と紐づけて表示される。すなわち、撮影画像が被写体７毎にグルーピングされた状態で、プロフィール画像またはプロフィール情報と撮影画像とを合成した合成画像を代表画像として表示される（ステップＳ１０８）。
【００７０】
図９は、イベント参加者の画像がプロフィール情報と紐づけて表示された例を示す図である。表示装置３の表示画面は、４つの表示エリア３４１、３４２、３４３、３４４に分割されており、表示エリア３４１には、グループＩＤ「ａａａｂｂ」の画像（図８参照）が表示され、表示エリア３４２には、グループＩＤ「ｃｃｃｄｄ」の画像（図８参照）が表示される。このように、同じ被写体７の画像（同じグループＩＤ２２１ｄの画像）が同じ表示エリア内に表示される。また、表示装置３には、代表画像であるプロフィール画像（またはプロフィール情報と撮影画像とを合成した合成画像）が必ず表示されるようにする。これにより、イベント参加者の画像はプロフィール情報と紐づけて表示される。撮影装置２において新たに撮影された画像２８１がある場合、撮影装置２により画像解析され、被写体７毎にグルーピングされ、同じ被写体７が表示されている表示エリア内に追加表示されることとなる。なお、表示エリアは４つに限定されず、任意の数としてもよい。また、表示エリアが１画面で足りない場合は画面をスクロールすることで他の表示エリアが表示されるようにすることが望ましい。
【００７１】
また、図９において表示エリア３４４に表示される「ｍａｐ」の表記は、地図表示へ移行する際にタッチ操作されるボタンである。地図表示については後述する。
【００７２】
図１０は、表示装置３における別の表示例である。例えば、タグ検索を行った場合、図９に示すように、表示装置３には同じタグが付与されている複数の被写体７の画像が並べて表示されるようにしてもよい。この場合にも、被写体７毎に表示エリアを分けて表示することが望ましい。表示エリア３４１の被写体７と表示エリア３４２の被写体７とは別の人物であるが、どちらも「＃ｖｔｕｂｅｒ」というタグが付与されている画像を有する。図１０のように被写体７がグルーピングされて表示された段階で更に別の被写体７による新たな画像２８２が撮影され、その画像２８２に例えば「＃男性向け」、「＃ｖｔｕｂｅｒ」のタグが付与された場合は、表示装置３の表示エリア３４３に新たな画像２８２が追加表示される。
【００７３】
なお、図１０に示すように同じタグが付加されている画像を抽出して表示装置３に表示させるために、表示装置３の制御部３１は、タグ検索を行うための検索画面を表示画面の一部（例えば、表示エリア３４４）に設け、ユーザ（例えば、カメラマン）による検索タグの入力を受け付ける。検索画面において検索するタグが入力されると、表示装置３の制御部３１は、撮影装置２に対して入力された検索タグを送信する。撮影装置２は、記憶部２０２に記憶されている撮影画像データ２２１から該当するタグが付与された画像を抽出し、表示画面に被写体７毎にグルーピングして表示させるための表示データを生成して表示装置３に送信し、表示させる。このように、タグ検索を可能とすることで、ジャンルや作品名、キャラクター名等から特定のコスプレイヤーを探せるようになる。
【００７４】
次に、図１１、図１２を参照して地図表示について説明する。
地図表示とは、イベント会場図内にイベント参加者（被写体、撮影者）の居場所を登録・表示する機能である。イベント参加者は、自分の居場所をイベント会場図内に表示させることで他のイベント参加者に知らせることができる。
【００７５】
地図表示機能を実現するため、撮影装置２及び表示装置３は、図１２に示す機能構成を有する。図１２に示すように、撮影装置２は、撮影部２３、グルーピング部１１、プロフィール情報取得部１２、判定部１３、メッセージ表示部１４、タグ付加部１５、表示部２１、入力部２２、及び記憶部２０２を有する。上述のグルーピング部１１、プロフィール情報取得部１２、判定部１３、メッセージ表示部１４、及びタグ付加部１５は撮影装置２の制御装置２０の制御部２０１が実現する機能部である。撮影装置２の機能構成は、図６の撮影装置２の機能構成と同様であるため説明を省略する。
【００７６】
表示装置３は、会場図取得部３１１、会場図表示制御部３１２、画像表示部３１３、位置入力部３１４、表示制御部１６、表示部３４、操作部３５、印刷部３７、及び記憶部３２を有する。操作部３５は指示入力部３５１を有する。上述の会場図取得部３１１、会場図表示制御部３１２、画像表示部３１３、位置入力部３１４、及び表示制御部１６は、表示装置３の制御部３１が実現する機能部である。
【００７７】
会場図取得部３１１は、記憶部３２等からイベント会場図を取得する。
位置入力部３１４は、イベント参加者によるイベント会場図内の位置の入力を受け付ける。
会場図表示制御部３１２は、イベント会場図を表示部３４に表示するとともに、表示したイベント会場図内の位置入力部３１４により指定された位置にイベント参加者のマークを表示させる。
指示入力部３５１は、イベント会場図内に表示されているマークが指示（タッチ操作やマウス等による指示操作等）されると、指示位置を制御部３１に入力する。
画像表示部３１３は、指示入力部３５１によりマークが指示されると、該マークに対応するイベント参加者の画像を記憶部３２または撮影装置２から取得し、表示する（図１１参照）。
表示制御部１６は、撮影部２３により撮影したイベント参加者の画像をプロフィール情報取得部１２により取得したプロフィール情報と紐づけて表示する。
【００７８】
表示装置３において表示部３４に表示される「ｍａｐ」（図９）がタッチ操作されると、制御部３１は地図表示機能を実行する。地図表示機能において、表示装置３の制御部３１（会場図取得部３１１）は、記憶部３２に予め記憶されているイベント会場図、または通信部３３を介して入力されたイベント会場図を取得する。会場図表示制御部３１２は会場図取得部３１１により取得した会場図を表示部３４に表示する。図１１に示す例では、イベント会場の１階部分を示す会場図３５１と、２階部分を示す会場図３５２がイベント会場図として表示される。このように会場図３５１、３５２が表示された表示画面において、表示装置３は、イベント参加者による会場図３５１、３５２内の位置の入力（居場所登録）を受け付ける。例えば表示装置３の表示部３４のタッチパネル（操作部３５）に対するタッチ操作により位置が入力される（位置入力部３１４）。すると、制御部３１（会場図表示制御部３１２）は、表示されている会場図３５１、３５２内のタッチされた位置にイベント参加者のマーク７１を表示させる。このように、イベント参加者は表示装置３に表示されている会場図上で居場所登録を行った後、登録した位置に行って待機する。
【００７９】
一方、会場図３５１上に表示されたマーク７１が指示入力部３５１によりタッチされると、表示装置３の制御部３１（画像表示部３１３）は、タッチされたマーク７１に紐づけられたイベント参加者の画像を記憶部３２から読み出して表示部３４に表示する。図１１の例では、マーク７１がタッチされると、表示画面上にマーク７１に紐づけられたイベント参加者の画像２８３、２８４が表示される。なお、イベント参加者のマーク７１と画像（グループＩＤ）との紐づけは、例えば、画像撮影時（図６のステップＳ１０１）やグルーピング時（図６のステップＳ１０３）に行われるものとする。
【００８０】
図１１において、マーク７２、７３は、マーク７１のイベント参加者とは異なるイベント参加者の居場所を示すマークである。例えば、マーク７２をイベント参加者がタッチすると、マーク７２に紐づけて登録されたイベント参加者の画像が表示部３４に表示される。このように、地図表示を行うことで、イベント会場図（会場図３５１、３５２）内にイベント参加者の居場所（マーク７２、７３）を示すことができるため、イベント参加者は容易に被写体または撮影者を探すことができるようになる。また、イベント参加者の画像を表示する際は、プロフィール画像が代表画像として表示されるため、被写体の人物の連絡先等を確認することができ、交流することが可能となる。
【００８１】
＜第２の実施の形態＞
次に、本発明の第２の実施の形態について説明する。
図１３は第２の実施の形態の表示システム１Ａの構成を示す図である。図１３に示すように、第２の実施の形態の表示システム１Ａは、複数の撮影装置２と１または複数の表示装置３とユーザ端末４とサーバ５とがネットワーク６を介して通信接続されている。表示装置３はデジタルサイネージ、またはスマートフォンやタブレット等の端末（以下、ユーザ端末４という）である。
【００８２】
サーバ５は、撮影装置２の撮影機能で得られた画像を記憶するサーバである。サーバ５には、図８に示す撮影画像データ２２１が記憶される。すなわち、プロフィール情報２２１ｃ、グループＩＤ２２１ｄ、タグ情報２２１ｅ等が紐づけて記憶された撮影画像２２１ｂがサーバ５の記憶部５２に記憶される。
【００８３】
図１４は、サーバ５のハードウェア構成を示す図である。図１４に示すように、サーバ５は、例えば制御部５１、記憶部５２、及び通信部５３等をバス等により接続して構成したコンピュータにより実現できる。但し、これに限ることなく、適宜様々な構成をとることができる。
【００８４】
制御部５１、記憶部５２、通信部５３の機能は上述の制御部２０１、記憶部２０２、通信部２０３と略同様である。
【００８５】
なお、サーバ５の記憶部５２には後述する処理をサーバ５に実行させるためのプログラムが格納される。
【００８６】
図１３の説明に戻る。ユーザ端末４はユーザが所持するコンピュータ端末であり、例えばスマートフォン等を用いることができる。
【００８７】
図１５はユーザ端末４のハードウェア構成を示す図である。図１５に示すように、ユーザ端末４は制御部４１、記憶部４２、通信部４３、表示部４４、入力部４５、カメラ４６、音声入出力部４７等をバス４９等により接続して構成される。但し、これに限ることなく、適宜様々な構成をとることができる。
【００８８】
制御部４１、記憶部４２、通信部４３の機能は上述した制御部２０１、記憶部２０２、通信部２０３と略同様である。また表示部４４は液晶パネル等のディスプレイ装置を有し、入力部４５としてのタッチパネルが設けられている。音声入出力部４７はマイクやスピーカー等である。
【００８９】
なお、ユーザ端末４の記憶部４２にはＷｅｂブラウザが格納され、これによりインターネット接続し、Ｗｅｂサイト（サーバ５）の情報を閲覧することが可能となっている。
【００９０】
次に、図１６を参照して第２の実施の形態における表示システム１Ａの撮影装置２、サーバ５、及び表示装置３の機能構成について説明する。
【００９１】
図１６に示すように、撮影装置２は、プロフィール情報取得部１２、タグ付加部１５、入力部２２、記憶部２０２、送信部２０３２、受信部２０３１、及び表示部２１を有する。サーバ５は、受信部５３１、判定部１３、メッセージ表示部１４、グルーピング部１１、記憶部５２、及び送信部５３２を有する。表示装置３は、受信部３３１、表示制御部１６、表示部３４、及び印刷部３７を有する。
【００９２】
撮影部２３は、イベント参加者を被写体として撮影する。
プロフィール情報取得部１２は、イベント参加者のプロフィール情報を取得する。プロフィール情報は、撮影部２３により撮影されるイベント参加者のプロフィールが含まれる画像（プロフィール画像）でもよいし、入力部２２から入力されたテキスト情報でもよい。
タグ付加部１５は、撮影部２３により撮影された画像へのタグ付けを受け付ける。
送信部２０３２は、撮影部２３により撮影したイベント参加者の画像、プロフィール情報取得部１２により取得したイベント参加者のプロフィール情報、タグ付加部１５により画像に付加されたタグ情報をサーバ５に送信する。
受信部２０３１は、サーバ５から送信されるメッセージを受信し表示部２１に表示する。
【００９３】
サーバ５の受信部５３１は、撮影装置２から送信されるイベント参加者の画像（撮影画像）、プロフィール情報、及びタグ情報を受信する。
判定部１３は受信した撮影画像がプロフィール画像であるか否かを判定する。
メッセージ表示部１４は、判定部１３により受信した撮影画像がプロフィール画像でないと判定された場合に、プロフィール情報をテキスト入力するよう促すメッセージを撮影装置２の表示部２１に表示させる。
グルーピング部１１は、撮影部２３により撮影した画像を被写体毎にグループ分けし、グループ毎にグループＩＤを付与する。また、グルーピング部１１は、撮影部２３により撮影した複数の画像にイベント参加者のプロフィール画像が含まれる場合は、該プロフィール画像を代表画像として選出する。
記憶部５２は、イベント参加者の画像にプロフィール情報、タグ情報、グルーピング部１１により付与されたグループＩＤを紐づけて記憶する。
送信部５３２は、イベント参加者の画像、プロフィール情報、タグ情報、及びグループＩＤを表示装置３に送信する。また、判定部１３により受信した撮影画像がプロフィール画像でないと判定した場合にプロフィール情報をテキスト入力するよう促すメッセージを撮影装置２に送信する。
【００９４】
表示装置３の受信部３３１は、サーバから送信されたイベント参加者の画像、プロフィール情報、タグ情報、及びグループＩＤを受信する。
表示制御部１６は、受信部３３１により受信したイベント参加者の画像をプロフィール情報と紐づけて表示する。また、表示制御部１６はグルーピング部１１によるグループ分けに従って撮影部２３により撮影した画像を被写体毎に表示する。また、受信した画像にプロフィール画像が含まれる場合は該プロフィール画像を代表画像として表示する。
印刷部３７は、表示装置３により表示された内容を印刷するプリンタである。  
【００９５】
次に、第２の実施の形態の表示システム１Ａにおいて撮影装置２、表示装置３（ユーザ端末４）、及びサーバ５が実行する処理について、図１７〜図１９を参照して説明する。図１７は、表示システム１Ａが実行する処理の流れを示すフローチャート、図１８は、ステップＳ３０５の判定処理の流れを説明するフローチャートである。図１９は、ユーザ端末４における表示例を示す図である。
【００９６】
図１７に示すように、撮影装置２では、まず撮影・編集処理を行う（ステップＳ３０１）。第１の実施の形態と同様に、撮影・編集処理において、撮影装置２はイベント参加者を被写体として撮影処理を行う。撮影装置２は表示部２１に対話的な操作を行うための操作画面を表示しながら撮影処理を進める。撮影処理では、撮影デザイン（縦デザイン、横デザイン、フレーム合成等）の選択、画像に適用するフィルタの選択、画像編集や加工を受け付けてもよい。
【００９７】
ステップＳ３０１の撮影・編集処理が終了すると、撮影装置２の制御部２０１（タグ付加部１５）は、ユーザによる画像へのタグ付け操作を受け付ける（ステップＳ３０２）。撮影装置２の制御装置２０は、表示部２１にタグ付けを促すメッセージを表示する。このとき、予め登録されたタグを複数表示し、ユーザにより選択可能とすることが望ましい。
【００９８】
撮影装置２は、ステップＳ３０１において撮影された画像及びステップＳ３０２で付与されたタグ情報をサーバ５に送信する（ステップＳ３０３）。
【００９９】
サーバ５において撮影装置２から撮影画像及びタグ情報を受信すると（ステップＳ３０４）、サーバ５の制御部５１（判定部１３）は受信した撮影画像について判定処理を実施する（ステップＳ３０５）。
【０１００】
ステップＳ３０５の判定処理について図１８を参照して説明する。
サーバ５の制御部５１（判定部１３）は、受信した撮影画像を解析して、この被写体７について撮影した画像が１枚目、すなわち過去に撮影したことがない被写体７であるか否かを判定する（ステップＳ４０１）。サーバ５の記憶部５２に記憶されている画像の中に被写体７と同じ顔（被写体）の画像がなく、１枚目の画像であると判定した場合（ステップＳ４０１；Ｙｅｓ）、更に制御部５１（判定部１３）は受信した撮影画像にスケッチブック（プロフィール情報８）が含まれているか否かを判定する。受信した撮影画像にスケッチブック（プロフィール情報８）が含まれている場合（ステップＳ４０２；Ｙｅｓ）は、受信した撮影画像をプロフィール情報８（プロフィール画像）として取得し、判定処理を終了し、図１７のステップＳ３０６へ移行する。
【０１０１】
ステップＳ４０１の判定において、記憶部５２に記憶されている画像の中に被写体７と同じ顔の画像があり、１枚目の画像でないと判定した場合（ステップＳ４０１；Ｎｏ）、サーバ５の制御部５１（判定部１３）は過去に撮影した画像（受信した画像）の中にプロフィール画像があるか否かを判定する（ステップＳ４０４）。制御部５１（判定部１３）は、記憶部５２に記憶されている同じ被写体７の画像の中に被写体７のプロフィール画像があるかを判定する。過去に撮影した画像（受信した画像）の中にプロフィール画像がある場合（ステップＳ４０４；Ｙｅｓ）は、判定処理を終了する。
【０１０２】
ステップＳ４０２の判定において、受信した撮影画像にスケッチブック（プロフィール情報８）が含まれていないと判定した場合（ステップＳ４０２；Ｎｏ）、及びステップＳ４０４の判定において、過去に撮影した画像（受信した画像）の中にプロフィール画像がないと判定した場合（ステップＳ４０４；Ｎｏ）は、ステップＳ４０５へ移行する。
【０１０３】
ステップＳ４０５において、制御部５１（メッセージ表示部１４）は、被写体７であるイベント参加者に対し、スケッチブックを持っているかを尋ねるメッセージを撮影装置２に送信し、撮影装置２の表示部２１に表示させる（ステップＳ４０５）。被写体７であるイベント参加者がスケッチブックを持っていないと回答した場合は（ステップＳ４０５；持っていない）、制御部５１（メッセージ表示部１４、送信部５３２）はプロフィールをテキスト入力するようメッセージを撮影装置２に送信する（ステップＳ４０６）。撮影装置２の受信部２０３１は、サーバ５からメッセージを受信し、表示部２１に表示する（ステップＳ４０７、４０８）。撮影装置２の制御部２０１は表示部２１にプロフィールを入力するための入力フォームを表示し、プロフィールの入力を受け付ける（ステップＳ４０９）。プロフィールが入力されると、入力されたプロフィールをサーバ５に送信する（ステップＳ４１０）。サーバ５は、撮影装置２からプロフィールを受信し（ステップＳ４１１）、取得したプロフィール情報を撮影画像（受信した画像）と紐づけて、図１７の判定処理を終了する。プロフィール情報を撮影画像と紐づけるとは、第１の実施形態と同様に、テキスト入力されたプロフィールを撮影画像内に合成した合成画像を生成したり、撮影画像の近傍に付与した合成画像を生成したりすることである。
【０１０４】
ステップＳ４０５において、被写体７であるイベント参加者がスケッチブックを持っていると回答した場合は（ステップＳ４０５；持っている）、サーバ５の制御部５１（メッセージ表示部１４）はプロフィールを記載したスケッチブック（プロフィール情報８）とともに撮影するようメッセージを撮影装置２に送信する（ステップＳ４１２）。撮影装置２は、サーバ５からメッセージを受信し、表示部２１に表示する（ステップＳ４１３、４１４）。このとき、撮影装置２において、プロフィール画像の撮影を後で行う旨の回答が被写体７であるイベント参加者により入力され、サーバ５に送信された場合は（ステップＳ４１５；Ｙｅｓ）、プロフィール画像の撮影は行わず、図１８の判定処理を終了する。
【０１０５】
ステップＳ４１２のメッセージ表示後、プロフィール画像の撮影を後で行う旨の入力が無い場合は（ステップＳ４１５；Ｎｏ）、図１７のステップＳ３０１へ移行し、被写体７のプロフィール画像の撮影を行う。
【０１０６】
図１７の説明に戻る。ステップＳ３０５の判定処理が終了すると、サーバ５の制御部５１（グルーピング部１１）は、受信した撮影画像を被写体７毎にグルーピングする（ステップＳ３０６）。サーバ５の制御部５１は、記憶部５２に蓄積記憶されている画像の中から被写体７と同一人物の顔（被写体）の画像を検索し、受信した撮影画像にそれらと同じグループＩＤを付与する。同一人物の顔の画像が無い場合は、新規グループＩＤを発行して受信した撮影画像に付与する。
【０１０７】
サーバ５の制御部５１（グルーピング部１１）は、グルーピングされた画像群の中でプロフィール画像を代表画像として選出する（ステップＳ３０７）。
【０１０８】
サーバ５の制御部５１は、撮影画像を記憶部２０２に記憶する（ステップＳ３０８）。具体的には、制御部５１は、撮影装置２から受信した撮影画像に、受信したタグ情報を紐づけて記憶部５２に撮影画像データ２２１として登録する。また、ステップＳ３０５の判定処理のステップＳ４０９（図１８）において入力されたプロフィール情報がある場合は、入力されたプロフィール情報も受信した撮影画像と紐づけて撮影画像データ２２１として記憶部５２に記憶する。また、ステップＳ３０６で求めたグループＩＤも受信した撮影画像に紐づけて撮影画像データ２２１として記憶する（ステップＳ３０８）。
【０１０９】
サーバ５の記憶部５２に記憶される撮影画像データ２２１のデータ構成は、図８に示す撮影画像データ２２１と同様である。図８に示すように、撮影画像２２１ｂと紐づけて、プロフィール情報２２１ｃ、グループＩＤ２２１ｄ、タグ情報２２１ｅが記憶される。また、撮影画像２２１ｂには各画像を識別する情報である撮影ＩＤ２２１ａが撮影の際に発行されて付与されている。プロフィール情報２２１ｃには、撮影画像２２１ｂがプロフィール画像である場合は「代表画像」である旨の情報が格納され、プロフィール情報がテキスト入力されている場合はそのプロフィール情報が格納される。
【０１１０】
図１７の説明に戻る。
サーバ５の制御部５１は、記憶部５２に記憶されている撮影画像データ２２１に基づいて画像の表示データを生成し、表示装置３に送信し、表示させる（ステップＳ３０９）。すなわち、制御部５１は、同じグループＩＤの画像が同じ表示エリアに表示されるように画像をレイアウトした表示データを生成する。表示装置３の表示制御部１６は、撮影装置２から送信された表示データを受信して表示する（ステップＳ３１０、ステップＳ３１１）。
【０１１１】
表示装置３には、図９や図１０に示すように、イベント参加者の画像がプロフィール情報と紐づけて表示される。また、撮影画像が被写体７毎にグルーピングされた状態で表示される。第２の実施の形態においても、代表画像であるプロフィール画像が必ず表示されるようにする。
【０１１２】
ステップＳ３０９において、サーバ５は、ユーザ端末４に表示データを送信してもよい。例えば、ユーザ端末４から撮影画像の閲覧要求があった場合、サーバ５は、記憶部５２に記憶されている撮影画像データ２２１に基づいて生成した表示データを要求元のユーザ端末４に送信する。
【０１１３】
図１９はユーザ端末４における撮影画像の表示例を示す図である。
図１９に示すように、例えば、タグ検索機能により「＃Vtuber」というタグが検索ワード入力欄４４１に入力されると、ユーザ端末４の制御部４１は「＃Vtuber」タグが付与されている画像をサーバ５に要求する。サーバ５は、記憶部５２から「＃Vtuber」タグが付与されている画像を抽出し、ユーザ端末４に送信する。ユーザ端末４は、サーバ５から「＃Vtuber」タグが付与されている画像を受信し、被写体７毎に画面を分けて表示する。例えば、表示画面４４２にはある被写体７（例えば、グループＩＤ「ａａａｂｂ」）の画像がまとめて表示される。画面をスライド操作して別画面を表示すると、別の被写体７（例えば、グループＩＤ「ｃｃｃｄｄ」）の画像がまとめて表示される。画面下部に表示される「アカウント」ボタン４４３は、ユーザ端末４のアカウント情報を表示させる際に操作されるボタンである。「ＭＡＰ」ボタン４４４は、地図表示機能に切り替える際に操作される。
【０１１４】
第２の実施の形態の表示システム１によれば、複数の撮影装置２で撮影された画像が、それぞれサーバ５にアップロードされサーバ５の記憶部５２に撮影画像データ２２１として記憶される。そして、サーバ５は、各表示装置３やユーザ端末４に撮影画像データ２２１を送信して表示させる。これにより、離れた場所に設置された各撮影装置２で撮影された画像が、各表示装置３でリアルタイムに更新されて表示されることとなる。複数の撮影装置２や表示装置３を設置できるため、広い会場でイベントを行う際等に使用しやすいものとなる。また、イベント参加者のユーザ端末４を表示装置３として利用できるため、イベント参加者は表示装置３まで行かなくても他のイベント参加者の様子を知ることができる。
【０１１５】
図２０は、第２の実施の形態の表示システム１Ａを撮影イベントで利用する場合の、イベント参加者（被写体７及びカメラマン）の行動の流れを説明する図である。撮影装置２は、会場の受付と複数の撮影場所にそれぞれ配置される。また、表示装置３は会場の受付や会場内の任意の場所に複数配置される。
【０１１６】
被写体となるイベント参加者（コスプレイヤー）は、受付時に撮影装置２で写真を撮影する。このとき、プロフィール画像を撮影することが望ましい（図２０の「１」）。スケッチブックを持っていない等、プロフィール画像が撮影できない場合は、プロフィール情報を撮影装置２にテキスト入力し、撮影画像に紐づける（プロフィール画像を作成する）。撮影画像（プロフィール画像を含む１または複数の画像）は、各所に設置された複数の表示装置３に表示される（図２０の「２」）。その後、被写体７であるイベント参加者は更衣室で衣装に着替え、撮影場所を探して、撮影準備を行う（なお更衣室での着替えは図１７の「１」の撮影前でもよい）。撮影準備では、イベント参加者（被写体７）は自分のスマートフォンでＳＮＳを利用し、友人や撮影してくれるカメラマン（イベント参加者）に呼びかける。
【０１１７】
一方、カメラマンであるイベント参加者は、受付で撮影者として登録を行う。また、受付に設置されている表示装置３を見て、被写体７の情報（画像やプロフィール情報）を得る。表示装置３に表示された内容は、プリントアウトすることも可能となっている（図２０の「３」）。カメラマンは、表示装置３に表示されたプロフィール画像等を元に、撮影する被写体７（イベント参加者）を探す。このとき、カメラマンは、被写体７（イベント参加者）のプロフィール情報として開示されたＳＮＳアカウントに連絡をとるようにしてもよい。このように、各イベント参加者は被写体７（イベント参加者）のプロフィール画像を参照して容易にＳＮＳを通じて交流することが可能となる。ＳＮＳで連絡を取り合うことで、カメラマンは目当ての被写体７（イベント参加者）に容易に出会うことができ撮影（カメラマンのカメラでの撮影）を行うことができる（図２０の「４」）。
【０１１８】
イベント参加者が、撮影場所近辺に設置された撮影装置２で再び撮影（撮影装置２による撮影）を行うと、グルーピング機能により前に撮影した画像と紐づけられる（図２０の「５」）。各表示装置３には、新たに撮影した画像が追加表示される。被写体７（イベント参加者）とカメラマン（イベント参加者）は連絡先を交換することができる。なお、このとき交換した連絡先情報が不十分でも、表示装置３でプロフィール画像を確認すれば、この人物のプロフィール情報（ＳＮＳアカウント等）を得ることができる。
【０１１９】
その後、イベント参加者は会場の撤収を行って解散する。イベント参加者らは解散後もＳＮＳを通じて連絡を取り合うことができ、写真の受け渡しや今後のイベントでの撮影についての相談等を行うことも可能である。
【０１２０】
なお、サーバ５に記憶されている画像は、後日、イベント参加者のユーザ端末４等から閲覧やダウンロードを行うことができるようにすることが望ましい。また、イベント参加者はサーバ５に記憶された撮影画像データ２２１を利用して、フォトブック９を作成することも可能である。
【０１２１】
図２１は、フォトブック９の一例を示す図である。図２１に示すように、イベント参加者は、Ｗｅｂサイト（サーバ５）にアクセスして、撮影画像データ２２１として記憶されている画像９１、９２、９３を自由にレイアウトし、フォトブック９等の作品を作成できる。画像９１は代表画像として選出されたプロフィール画像である。フォトブック９には、画像だけでなくプロフィール情報９５を掲載することも可能である。プロフィール情報９５は、テキスト入力されているプロフィール情報２２１ｃを読み出して掲載する。または、プロフィール画像からＯＣＲ（Optical Character Recognition；文字認識）機能により読み取ったテキスト情報を掲載するようにしてもよい。
【０１２２】
以上説明したように、本実施形態の表示システム１、１Ａによれば、イベント参加者の撮影画像とプロフィール情報とを紐づけ、表示装置３に表示することで情報公開できるため、イベント参加者は容易に他のイベント参加者のプロフィール情報（連絡先等）を得ることが可能となる。これにより、イベント等で知り合った人物の連絡先等（プロフィール情報）を表示装置３に表示される内容から知ることができる。例えば、ＳＮＳで知り合った知人であるが顔を知らない場合や、顔をよく知っている人物であるがＳＮＳアカウント（連絡先）を知らない場合に、表示装置３に表示される内容から容易に顔とＳＮＳアカウントとを一致させることが可能となる。これにより、イベント参加者同士の交流を支援することが可能となる。
【０１２３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１２４】
１、１Ａ・・・・・・・・表示システム
２・・・・・・・・・・・撮影装置
３・・・・・・・・・・・表示装置
４・・・・・・・・・・・ユーザ端末
５・・・・・・・・・・・サーバ
６・・・・・・・・・・・ネットワーク
７・・・・・・・・・・・被写体
８・・・・・・・・・・・プロフィール情報（スケッチブック）
９・・・・・・・・・・・フォトブック
１１・・・・・・・・・・グルーピング部
１２・・・・・・・・・・プロフィール情報取得部
１３・・・・・・・・・・判定部
１４・・・・・・・・・・メッセージ表示部
１５・・・・・・・・・・タグ付加部
１６・・・・・・・・・・表示制御部２０・・・・・・・・・・制御装置
２１、３４、４４・・・・表示部
２２、４５・・・・・・・入力部
２３・・・・・・・・・・撮影部
２４・・・・・・・・・・照明
２５、３７・・・・・・・プリンタ
３１、４１、５１、２０１・・・制御部
３２、４２、５２、２０２・・・記憶部
３３、４３、５３、２０３・・・通信部
３５・・・・・・・・・・操作部
４６・・・・・・・・・・カメラ
４７・・・・・・・・・・音声入力部
２２１・・・・・・・・・撮影画像データ
２２１ｂ・・・・・・・・撮影画像
３１１・・・・・・・・・会場図取得部
３１２・・・・・・・・・会場図表示制御部
３１３・・・・・・・・・画像表示部
３１４・・・・・・・・・位置入力部
３４１、３４２、３４３、３４４・・・表示エリア
３５１・・・・・・・・・指示入力部
【図１】
2020115259.tif 000003
【図２】
2020115259.tif 000004
【図３】
2020115259.tif 000005
【図４】
2020115259.tif 000006
【図５】
2020115259.tif 000007
【図６】
2020115259.tif 000008
【図７】
2020115259.tif 000009
【図８】
2020115259.tif 000010
【図９】
2020115259.tif 000011
【図１０】
2020115259.tif 000012
【図１１】
2020115259.tif 000013
【図１２】
2020115259.tif 000014
【図１３】
2020115259.tif 000015
【図１４】
2020115259.tif 000016
【図１５】
2020115259.tif 000017
【図１６】
2020115259.tif 000018
【図１７】
2020115259.tif 000019
【図１８】
2020115259.tif 000020
【図１９】
2020115259.tif 000021
【図２０】
2020115259.tif 000022
【図２１】
2020115259.tif 000023